(57)【要約】  調合物を調合する蓋・容器アセンブリと使用方法を開示する。このアセンブリは、内部スペースへとつながる開口部を画定する容器を有するものである。開口部を覆って、蓋部材を取り外し可能に装着し、その蓋部材により、内部スペースへとつながる通路を画定する。蓋部材は、前記通路の下側領域に位置する突き刺し構造を有する。前記通路内には、プランジャーをスライド可能に配置し、プランジャーは、スリーブ部分及び、そのスリーブ部分内に収容した調合製品を有する。プランジャーは、そのプランジャーが前記通路の上部領域に位置する第一位置と、プランジャーが前記通路の下部領域に位置して調合製品が突き刺し構造に接触する第二位置との間で、当該通路内をスライドするものである。
2014511319.tif 000002
【特許請求の範囲】
【請求項１】
内部スペースへとつながる開口部を画定する容器と、
前記開口部を覆って取り外し可能に装着されて、前記内部スペースへとつながる通路を画定し、その通路の下側領域に位置する突き刺し構造を有する蓋部材と、
前記通路内にスライド可能に配置されて、スリーブ部分及び、該スリーブ部分内に収容される調合製品を有するプランジャーと
を備えた、調合物を調合するための蓋・容器アセンブリであって、
前記プランジャーが前記通路の上部領域に位置する第一位置と、前記プランジャーが前記通路の下部領域に位置して前記調合製品が前記突き刺し構造に接触する第二位置との間で、当該プランジャーが前記通路内をスライドするべく構成された、蓋・容器アセンブリ。
【請求項２】
前記容器が、前記開口部を画定する頸部を備える、請求項１に記載のアセンブリ。
【請求項３】
前記蓋部材が、前記頸部の内側に位置する内側管状体と、前記頸部の外側に位置する外側管状体と、前記内側管状体を前記外側管状体に接合する上側連結壁とを備える、請求項２に記載のアセンブリ。
【請求項４】
プランジャーの前記スリーブ部分を、前記蓋部材の前記内側管状体の内側にスライド可能に配置した、請求項３に記載のアセンブリ。
【請求項５】
下側壁部により、プランジャーの前記スリーブ部分を、その下側領域で封鎖し、プランジャーが第一位置にあるときに調合製品を前記下側壁部上に位置させ、プランジャーが第二位置へスライドしたとき、前記下側壁部が、突き刺し構造によって破壊されて、調合製品をスリーブ部分から解放するべく構成された、請求項４に記載のアセンブリ。
【請求項６】
前記突き刺し構造が突起部である、請求項１に記載のアセンブリ。
【請求項７】
前記アセンブリの少なくとも一部が、デシカント材料からなる、請求項１に記載のアセンブリ。
【請求項８】
前記容器の内部スペースに、キャリヤーが収容される、請求項１に記載のアセンブリ。
【請求項９】
調合製品が、破れ得る包装内に入っている、請求項１に記載のアセンブリ。
【請求項１０】
前記プランジャーを第一位置に維持させるスリーブを有し、プランジャーが過去に第二位置に存在したことがあることを示唆するべく構成された第一タンパーエビデント装置をさらに備える、請求項１に記載のアセンブリ。
【請求項１１】
前記容器の外面上に位置して、分離可能な連結構造により蓋部材に取り付けられたリング部を有し、蓋部材が過去にアセンブリから取り外されたことがあることを示唆する第二タンパーエビデント装置をさらに備える、請求項１０に記載のアセンブリ。
【請求項１２】
前記リング部を容器の外面上に維持させる保持機構をさらに備え、前記保持機構が、前記リング部の内面から内側に突出する下方側壁及び、前記容器の外面から外側に突出する上方側壁を有する、請求項１１に記載のアセンブリ。
【請求項１３】
前記容器が、前記開口部を画定する頸部を備え、
前記蓋部材が、前記頸部の内側に位置する内側管状体と、前記頸部の外側に位置する外側管状体と、前記内側管状体を前記外側管状体に接合する上側連結壁とを備え、
前記プランジャーが、その上側部分に外側突出カラーを有し、
前記カラーが、蓋部材の前記上側連結壁とプランジャーのカラーとの間に延びている、請求項１に記載のアセンブリ。
【請求項１４】
調合製品をキャリヤー中に調合させる方法であって、
内部スペースへとつながる開口部を画定する容器と、前記開口部に取り外し可能に装着されて、内部スペースへとつながる通路を画定するとともに、当該通路の下側領域に位置する突き刺し構造を有する蓋部材と、前記通路内にスライド可能に配置されて、スリーブ部分及び、そのスリーブ部分内に収容される調合製品を有するプランジャーとを備えた、調合物を調合するための蓋・容器アセンブリを準備すること、
前記プランジャーが前記通路の上部領域に位置する第一位置から、プランジャーが前記通路の下部領域に位置して調合製品が突き刺し構造に接触する第二位置に至るまで、プランジャーを前記通路内でスライドさせること、
を含む方法。
【請求項１５】
前記アセンブリを揺動させて、調合製品をキャリヤー中に分散させることをさらに含む、請求項１４に記載の方法。
【請求項１６】
プランジャーを第二位置へスライドさせたとき、前記スリーブ部分の下側壁部を突き刺し構造に接触させて、当該下側壁部を破壊し、調合製品を、前記通路を介して前記容器の内部スペースに解放することをさらに含む、請求項１４に記載の方法。
【請求項１７】
調合製品が、破れ得る包装内に入っているものとし、
プランジャーを第二位置へスライドさせたとき、当該破れ得る包装を突き刺し構造に接触させて破り、調合製品を当該破れ得る包装から解放することをさらに含む、請求項１４に記載の方法。
【請求項１８】
前記アセンブリが、プランジャーが過去に第二位置に存在したことがあることを示唆する第一タンパーエビデント装置をさらに備えるものとし、
前記通路内でプランジャーを第一位置から第二位置へとスライドさせるに先立って、前記第一タンパーエビデント装置を取り除くことをさらに含む、請求項１４に記載の方法。
【請求項１９】
前記容器が、前記開口部を画定する頸部を備え、
前記蓋部材が、前記頸部の内側に位置する内側管状体と、前記頸部の外側に位置する外側管状体と、前記内側管状体を前記外側管状体に接合する上側連結壁とを備え、
前記プランジャーが、その上側部分に外側突出カラーを有し、
前記カラーが、蓋部材の前記連結壁とプランジャーのカラーとの間に延びるものとした、請求項１８に記載の方法。
【請求項２０】
前記アセンブリが、蓋部材が過去にアセンブリから取り外されたことがあることを示唆する第二タンパーエビデント装置をさらに備えるものとし、
蓋部材をアセンブリから取り外したとき、第二タンパーエビデント装置が解除されることをさらに含む、請求項１８に記載の方法。
【発明の詳細な説明】
【技術分野】
【０００１】
本発明は、調合材料とキャリヤー（担体）の混合及び／又は保管のための蓋・容器アセンブリに関するものである。
【背景技術】
【０００２】
最終製品を生成するため、キャリヤーと混合されることを意図した形態で販売されている消費者製品は数多く存在する。そのような製品（以下、「調合製品」という。）は、たとえば、固形であったり、または濃縮液体の形態であったりする。固形調合製品としては、粉末、顆粒、パック（puck）、錠剤又はカプセルその他の様々な形態のものがある。キャリヤーは多くの場合は液体形態であるが、固体形態であることもある。調合製品は、それとキャリヤーとの相互作用を遅らすという利点があり、それにより、自身の保存可能期間を延ばすことができる。当該製品には消耗品と非消耗品が含まれる。消耗調合製品の例としては、食品もしくは飲料の混合物や、栄養補助剤、調合薬等がある。
【０００３】
調合製品は、調合製品及びキャリヤーを含む２要素システムとして販売されるか、あるいは、たとえば、キャリヤーが容易に入手可能な水等である場合は、それのみ単独で販売されることがある。調合製品だけのシステムはコンパクトで持運びが容易との利点があるのに対し、２要素システムは、必要な全ての材料が単一のシステムないし包装内にあるという利点がある。
【発明の概要】
【発明が解決しようとする課題】
【０００４】
調合製品を使用するに当っては、主として、キャリヤーを適切な容器に入れて、調合製品を開梱し、それを当該容器に加え、そして、器具を用いて撹拌させ、又はかき混ぜることにより、調合製品をキャリヤーに混ぜ合わせることを行う。このプロセスには数多くのステップが含まれ、また、適切な容器を利用できないことが頻繁にある。調合製品だけのシステムでは、適切なキャリヤーを常に利用できるとは限らない。加えて、多くの調合製品システムは、キャリヤーがもともと入っていたものと同じ容器内で混合させることができない。キャリヤーの保管、調合製品とキャリヤーとの混合、及び、混合した最終製品の保管に適した容器に対するニーズのみならず、調合のために必要な要素の全てを含む調合製品システムに対するニーズも存在している。
【課題を解決するための手段】
【０００５】
本発明は、調合物を調合するための蓋・容器アセンブリを対象とするものである。前記アセンブリは、内部スペースへとつながる開口部を画定する容器を備える。前記開口部には、蓋部材を取り外し可能に装着し、この蓋部材により、内部スペースへとつながる通路を画定する。当該蓋部材は、前記通路の下側領域に位置する突き刺し構造を有するものである。前記通路内には、プランジャーをスライド可能に配置し、このプランジャーは、スリーブ部分及び、そのスリーブ部分内に収容される調合製品を有する。プランジャーは、プランジャーが通路の上部領域に位置する第一位置と、プランジャーが通路の下部領域に位置して調合製品が突き刺し構造に接触する第二位置との間で、通路内をスライドする。
【０００６】
本発明はまた、調合製品をキャリヤー中に調合する方法をも対象とするものである。この方法には、調合物を調合するための蓋・容器アセンブリであって、内部スペースへとつながる開口部を画定する容器と、前記開口部を覆って取り外し可能に装着した蓋部材と、通路内にスライド可能に配置したプランジャーとを備えるものを準備することが含まれる。蓋部材により、容器の内部スペースへとつながる通路が画定され、この蓋部材は、前記通路の下側領域に位置する突き刺し構造を有する。プランジャーは、スリーブ部分と、そのスリーブ部分内に収容される調合製品とを有するものである。さらにこの方法には、プランジャーを、プランジャーが通路の上部領域に位置する第一位置から、プランジャーが通路の下部領域に位置して調合製品が突き刺し構造に接触する第二位置に至るまで、通路内でスライドさせることが含まれる。
【図面の簡単な説明】
【０００７】
【図１】調合製品用の蓋・容器アセンブリの第一実施形態の斜視図を示す。
【図２】図１のアセンブリの、初期位置での断面図を示す。
【図３】図１のアセンブリの、調合位置での断面図を示す。
【図４】図１に示す調合製品用の蓋・容器アセンブリに用いる蓋部材の一の実施形態の平面図を示す。
【図５】図１に示す調合製品用の蓋・容器アセンブリに用いるプランジャーの一の実施形態の側面図を示す。
【図６】タンパーエビデント装置を有する調合製品用の蓋・容器アセンブリの第二実施形態の斜視図を示す。
【図７】図６のアセンブリの、初期位置での断面図を示す。
【図８】図７のアセンブリの、調合位置での断面図を示す。
【発明を実施するための形態】
【０００８】
先述したところでは便宜上、特定の用語を用いたが、それに限定されることを意図するものではない。「前方」、「後方」、「上方」、「下方」等の語句は、説明している図面の中における方向を示すものである。かかる用語には、先に厳密に規定した語句、それから派生するもの、及び、同様にして取り込まれたものが含まれる。またここでは、「一の」及び「単一の」との語句を、特に注釈のない限り、説明している事項の一もしくは複数を含むものと定義する。「少なくとも一の」とのフレーズは、その後に、「Ａ、Ｂ又はＣ」のように、二以上の事項のリストが続く場合、Ａ、Ｂ又はＣのうちのいずれか個々の一つを意味するだけでなく、それらのいずれかの組合せをも意味する。
【０００９】
図１〜３に、調合物を調合するための蓋・容器アセンブリ１０の第一実施形態を示す。このアセンブリは、容器２０、蓋部材４０及びプランジャー６０を備えるものである。ある実施形態では、容器２０、蓋部材４０及び／又はプランジャー６０その他の特定の要素を、たとえばポリプロピレン等の熱可塑性プラスチック材料、水分遮断高分子材料その他の高分子材料の射出成形によって形成することができる。また、活物質を得るため、上記の高分子材料に、乾燥剤及びチャネリング剤等の活性剤を混ぜ合わせることができる。そのような活物質の具体例は、米国特許第６１３０２６３号、第６０８０３５０号、第６２２１４４６号、第６１２４００６号、第６２１４２５５号、第６１９４０７９号、第６３１６５２０号、第６４６５５３２号、第５９１１９３７号、第６１７４９５２号、第６１７７１８３号、第６４８６２３１号、第６６９６００２号、第６４６０２７１号、第６６１３４０５号、第６８５２７８３号、第ＲＥ４０９４１号、第７００５４５９号のうちの一もしくは複数に開示されており、それらを十分に説明したものとして、ここに組み込むものとする。あるいは、他の実施形態によれば、容器２０、蓋部材４０及び／又はプランジャー６０は、デシカント材料を含むものとすることができ、ここでは、デシカント材料は別個に射出成形されて、単一の射出成形金型内において２ショットで組み立てられ、又は形成される。
【００１０】
容器２０は、投入された調合製品１２を受け取るべく構成されて、キャリヤー１４を収納するハウジング部分２２を有する。このキャリヤー１４は、調合製品１２と混ぜ合わせるに適した液体であれば、どのような種類のものでもよい。適切なキャリヤーの具体例には、水、ジュース又はミルク等の消耗液体が含まれる。適切なキャリヤーの他の具体例には、溶媒等の非消耗液体や、粉末及び顆粒のような、消耗及び非消耗の固体が含まれる。調合製品１２は、キャリヤーとの混合に適したものであれば、その種類は問わない。適切な調合物１２の具体例には、医薬品、サプリメント及び食料品等のような、消耗キャリヤーと混合される消耗材料が含まれる。適切な調合物１２の他の具体例には、非消耗キャリヤーと混合される非消耗材料が含まれ、これには、着色剤や芳香剤等がある。調合製品１２は、キャリヤーと混ぜ合わすことのできるものであれば、粉末、顆粒、パック（puck）、錠剤、タブレット等、どのような状態であってもよい。調合製品１２はまた液体状とすることもできる。調合に先立って、調合製品１２は、ホイル、紙もしくはプラスチックパッケージ等の、破れることのできる包装で包まれたものとすることがき、または、包装無しのものとすることができる。
【００１１】
図示の実施形態では、ハウジング部分２２は、容器２０を表面上に配置するための底部２６付きの、一般には管状の本体２４を備えるものである。しかしながら、容器２０は、キャリヤー１４を取り囲むことだけでなく、調合製品１２を受け取ることにも適した他の形状、とりわけ正方形や長方形、台形、円形、非円形等とすることができる。
【００１２】
一般に円筒状をなす頸部２８は、ハウジング部分２２から上方に延びて、開口部３０を画定している。図示の実施形態では、頸部２８は、ハウジング部分２２の円筒状の本体２４よりも小さい直径を有するものであるが、このことは必須の事項ではない。頸部２８は、蓋部材４０との取付部分を構成するものであり、その詳細については後述する。
【００１３】
引き続き図１〜３を参照するに、ここにはアセンブリ１０の蓋部材４０を示す。蓋部材４０は、内側管状体４２及び外側管状体４４を備えるものである。蓋部材４０を、容器２０の開口部３０を覆って取り付けると、内側管状体４２は頸部２８の内側に位置し、外側管状体４４は頸部２８の外側に位置することになる。内側管状体４２及び外側管状体４４は、図２及び図３に示すように、それらのそれぞれの上端部で、連結壁４６によって連結されており、この連結壁４６は、略逆Ｕ字状の断面をなす。連結壁４６は、図２及び図３に示す態様で、頸部２８の上端部上に配置されるが、連結壁４６が頸部の上端部に現に接触していなくてもよい。
【００１４】
蓋部材４０の、容器２０への装着は、様々な方法により行うことができる。図示の実施形態では、蓋部材４０と容器２０とは、ねじ連結によって装着されている。頸部２８の外表面には外面ねじ３２を設け、この外面ねじ３２を、蓋部材４０の外側管状体４４の内表面に設けた内面ねじ４８に螺合させる。他の実施形態では、蓋部材４０を容器２０に装着させるため、他の種類の連結構造、たとえば、スナップフィットや、しまりばめのような他の種類の機械的連結構造等を用いることができる。
【００１５】
蓋部材４０は、内側管状体４２の下部に位置する内側基部５０をさらに備える。内側基部５０は、図２に示すように、蓋部材４０が開口部３０を覆って装着されたときに容器２０内に位置するものである。内側基部５０は、容器２０の直立姿勢で、容器２０内に存在するキャリヤー１４の上方に位置することが好ましい。内側基部５０は、突起部５２を含む突き刺し構造７６を有し、これは、詳細を後述するように調合製品１２の調合を補助する。
突起部５２と内側管状体４２の一部との間には、調合物を調合する間の調合製品１２の通り道としての下側通路５６を区画する。
【００１６】
ある実施形態では、図４に示すように、内側基部５０が、内部で内側管状体４２から突き刺し構造７６へと延びる少なくとも一本のアーム７０を有する。たとえば、図４に例示するように、特定の実施形態では、内側基部５０が、三本のアーム７０ａ、７０ｂ、７０ｃを有するものとする。それらのアーム７０ａ、７０ｂ、７０ｃは相互に離隔させて配置し、それにより、キャリヤー１４中に調合される調合物１２用の、一本もしくは複数本の下側通路５６ａ、５６ｂ、５６ｃが形成されることになる。あるいは、アームが、一もしくは複数のオリフィスを有するものとし、当該オリフィスは、下側通路５６その他の開口部を形成して、調合物１２が内側基部５０を通ってキャリヤー１４へ通過することを可能にする。あるいは、内側基部５０の少なくとも一部が、調合製品１２を下側通路５６に向けて案内するよう構成することができる。たとえば、アーム７０ａ、７０ｂ、７０ｃが、突起部５２の少なくとも一部の真下に、調合物１２を下側通路５６へ案内するよう曲げられた一もしくは複数の傾斜上面を有するものとする。
【００１７】
ある実施形態によれば、突き刺し構造７６は、突起部５２に向けて延びる突き刺しアーム７８ａ、７８ｂ、７８ｃを有するものとすることができる。また、特定の実施形態では、突き刺しアーム７８ａ、７８ｂ、７８ｃが、当該突き刺しアーム７８ａ、７８ｂ、７８ｃに沿う先端部８０ａ、８０ｂ、８０ｃを形成する傾斜上壁を有するものとすることができ、それらは、調合製品１２の突き刺しもしくは破壊又は、調合製品１２の包装を補助し、及び／又は、下側通路５６への調合製品１２の案内を補助する。
【００１８】
図２及び図３に示すように、プランジャー６０が、プランジャー筒部６２及び上側壁部６４を有する。プランジャー筒部６２は、蓋部材４０の内側管状体４２の内側に、スライド可能に配置されている。プランジャー６０は、図２に示す第一位置、つまり初期位置と、図３に示す第二位置、つまり調合位置との間をスライドする。上側壁部６４は、図示の実施形態のように、プランジャー筒部６２を超えて延びるものとすることができ、それにより、フランジ６６が形成される。図３に示すように、フランジ６６は、プランジャー６０が、調合位置にあるときよりさらに下方へスライドすることを防止する。
【００１９】
図２及び図５に示すように、ある実施形態では、プランジャー６０は、内側管状体４２の凹部７４に一致する、リブ、フランジ又はねじ山その他の凸部７２を少なくとも一個有するものとすることができ、それにより、初期位置からのプランジャー６０の、意図しない移動を防止することができる。またここでは、凸部７２及び凹部７４の嵌め合わせ係合部は、調合製品１２をキャリヤー１４に混合しようとする前の、プランジャー６０の、初期位置からの移動を防止することができる。ある実施形態によれば、使用時にユーザーは、プランジャー６０を十分な力で押し下げて、凹部７４から凸部７２を外すことができ、プランジャー６０を初期位置から移動させることができる。他の実施形態によれば、凸部７２及び凹部７４を、互いに螺合する雄ねじと雌ねじとすることができ、この場合、ユーザーは、少なくとも初期は、プランジャー６０を初期位置から移動させるため、プランジャー６０を内壁部材６０に対して回転させることが必要になる。しかしながら、プランジャー６０は、たとえば、取り外し可能なカラー又は、後述の第一タンパーエビデント装置１７０のような、プランジャー６０の一部とキャップ４０との間に配置するタンパーエビデント装置等を含む他の構造によっても、初期位置で少なくとも部分的に拘束ないし固定することができる。
【００２０】
混合前の調合製品１２を取り囲む内部スペース６８は、プランジャー筒部６２の内側に区画される。内部スペース６８の上端部分は上側壁部６４によって封鎖されており、また下端部分は、壊れ易い下側壁部５８によって封鎖することも可能である。壊れ易い下側壁部５８は、手動の力で容易に破壊させることのできる材質、たとえば金属箔、紙、薄いプラスチックシート等によって形成することができる。図示の実施形態では、壊れ易い下側壁部５８は、調合製品１２を支持しているが、壊れ易い下側壁部５８を省略した実施形態では、調合製品１２を支持するため、プランジャー筒部６２内でその直径部分だけ延びる壁部等の、他の構造を設けることができる。そのような構造は、図３に示すように、プランジャー６０が押し下げられて、突起部５２が調合製品１２に接触している際であっても、調合製品１２を十分に支持できるものとすべきである。
【００２１】
プランジャー６０を、図２に示す初期位置から図３に示す調合位置までスライドさせることにより、調合製品１２は、キャリヤー１４内に分散されることになる。このことにより、突起部５２は調合製品１２に接触する。壊れ易い下側壁部５８を設けた実施形態では、それは、スライド中に突起部５２によって破壊されることになる。調合製品１２に対して破れ得る包装を施した実施形態では、そのような包装は、スライド中に突起部によって破られることになる。調合製品を、壊れ易い下側壁部５８及び破れ得る包装とともに、又は、当該壁部及び包装なしで、錠剤もしくはタブレットの形態とした実施形態では、調合製品１２は、スライド中に突起部によって破壊されることになるが、このことは必須の事項ではなく、他の実施形態では、錠剤ないしタブレットは無傷のまま、その後にキャリヤー１４によって溶解される。
【００２２】
一もしくは複数の調合製品１２、壊れ易い下側壁部５８、又は、調合製品１２のパッケージ、突起部５２による破壊により、調合製品１２は、プランジャー筒部６２の内部スペース６８を抜け出ることができる。その後、調合製品１２は、蓋部材４０の下側通路５６を下方に通過して、容器のハウジング部分２２に移動し、キャリヤー１４と混ざり合う。ユーザーは任意で、調合製品１２をキャリヤー１４内に分散させるべく、アセンブリ１０を揺動させることができる。その後、容器２０から蓋部材４０を、図示例ではねじって取り外し、それにより、調合製品１２とキャリヤー１４との調合物へのユーザーが入手することが可能になり、又は、当該調合物が、下側通路５６を介してハウジング部分２２から流出し得る。
【００２３】
図６〜８に、調合物を調合する蓋・容器アセンブリ１１０の第二実施形態を示す。アセンブリ１１０の第二実施形態は、第一実施形態と同様の特徴部分を多数有し、そのような特徴部分は、他に説明され、又は図面に示されていない限り、同様であるか、又は構造的に同等なものと考えられるべきである。
【００２４】
上記のアセンブリの第二実施形態は、第一タンパーエビデント装置１７０を有する点で第一実施形態とは異なるものである。第一タンパーエビデント装置１７０は、プランジャー１６０の一部と蓋部材１４０との間で延びる管状スリーブ１７２を有し、それにより、プランジャー１６０の下降を防いでいる。図示の実施形態では、前記スリーブ１７２は、プランジャー１６０のフランジ１６６と蓋部材１４０の連結壁１４６との間に延びるものである。スリーブ１７２は、破壊することなしにはアセンブリ１１０から取り外すことのできない寸法とすることが好ましい。あるいは、スリーブ１７２は、破壊することなしに取り外すことはできるが、一度アセンブリ１１０から取り外した後には取り替えることができないように構成することができる。この点において、アセンブリ１１０にスリーブ１７２が存在しないことは、プランジャー１６０が過去に押し下げられたことがあり、調合物１１２がキャリヤー１１４中に分散していることを意味する。
【００２５】
第一タンパーエビデント装置１７０は任意で、プルタブ１７４及び打抜き穴１７６を含む除去構造を有するものとすることができる。プルタブ１７４に引張力が作用すると、スリーブ１７２は打抜き穴１７６に沿って分裂し、スリーブ１７２を除去することができる。別のタイプの除去構造は、スリーブ１７２を、アセンブリ１１０から損傷なしで除去することはできるが交換することはできない装置を有するものとすることができる。
【００２６】
蓋部材１４０、プランジャー１６０又は、それらの双方は任意で、第一タンパーエビデント装置１７０をアセンブリ１１０上の中心位置で保持するためのセンタリング構造を有するものとすることができる。図示の実施形態では、蓋部材１４０及びプランジャー１６０のそれぞれが、スリーブ１７２の内径より僅かに小さい外径の外側突出カラー１４１、１６１を有する。
【００２７】
アセンブリ１１０の第二実施形態はさらに、第二タンパーエビデント装置１８０を有するものとすることができる。第二タンパーエビデント装置１８０は、分離可能な連結構造によって蓋部材１４０に取り付けられたリング部１８２を備える。ここに示す実施形態では、前記連結構造は、蓋部材１４０の外側管状体１４４の直下位置で、リング部１８２を容器１２０の頸部１２８上に装着する複数の連結タブ１８４を有するものである。
【００２８】
リング部１８２は、蓋部材１４０を取り外したときであっても、頸部１２８上の位置にとどまるよう構成されている。図示の実施形態では、このことは、リング部１８２上に設けた下方側壁１８６を、頸部２８上に設けた上方側壁１３４に係合させることによって実現することができる。下方側壁１８６は、リング部１８２の内面から内側に延びるものであり、上方側壁は、頸部１２８の外面から外側に延びるものである。ここに示す実施形態ではねじ１３２、１４８を外すように回転させることによって、容器１２０から蓋部材１４０を取り外したとき、蓋部材１４０は、その取外しが完了する前に、頸部１２８上で上方側に移動することになる。下方側壁１８６は上方側壁１３４に接触して、リング部１８２の、上方側への移動及び、頸部１２８からの除去が防止され、そして、連結タブ１８２の破壊が生じる。それ故、連結タブ１８２の破壊は、蓋部材１４０が以前、アセンブリ１１０から除去されたことがあり、容器１２０に対する内容物の混入もしくは取り出しのような、内部の改変がなされた可能性があることを意味する。
【００２９】
図７〜８に示す実施形態のアセンブリの第三の選択的特徴は、プランジャー１６０の、窪んだ上側壁部１６４にある。この実施形態では、上側壁部１６４とフランジ１６６とが離隔し、そして、上側壁部１６４が、プランジャー筒部１６２の上端部に位置することに代えて、プランジャー筒部１６２内で、その上端部の下方側の位置に延びるものとしている。これによれば、プランジャー１６０の、下方側への少しの下降により、上側壁部１６４が、調合物１１２を突起部１５２に接触させるべく押し付けて、調合物１１２を調合することができる。
【００３０】
アセンブリのさらなる実施形態は、第一または第二タンパーエビデント装置１７０、１８０、又は、プランジャーの下側、上側壁部１６４のうちの、一個だけ、又はいずれかの組合せを有するものとすることができる。
【００３１】
以上に述べたところでは、本発明の好ましい実施形態を詳細に説明したが、そのような特定の実施形態は単なる例示として考えられるべきものであり、本発明は、かかる実施形態に限定されるものではない。
【符号の説明】
【００３２】
１０  蓋・容器アセンブリ
１２  調合物
１４  キャリヤー
２０  容器
２２  ハウジング部分
２４  本体
２６  底部
２８  頸部
３０  開口部
３２  外面ねじ
４０  蓋部材
４２  内側管状体
４４  外側管状体
４６  連結壁
４８  内面ねじ
５０  内側基部
５２  突起部
５６  下側通路
５８  壊れ易い下側壁部
６０  プランジャー
６２  プランジャー筒部
６４  上側壁部
６６  フランジ
６８  内部スペース
７０  アーム
７２  凸部
７４  凹部
７６  突き刺し構造
７８  突き刺しアーム
８０  先端部
１１０  蓋・容器アセンブリ
１１２  調合物
１１４  キャリヤー
１２０  容器
１２２  ハウジング部分
１２４  本体
１２６  底部
１２８  頸部
１３０  開口部
１３２  外面ねじ
１３４  上方側壁
１４０  蓋部材
１４１  カラー
１４２  内側管状体
１４４  外側管状体
１４６  連結壁
１４８  内面ねじ
１５０  内側基部
１５２  突起部
１５６  下側通路
１５８  壊れ易い下側壁部
１６０  プランジャー
１６１  カラー
１６２  プランジャー筒部
１６４  上側壁部
１６６  フランジ
１６８  内部スペース
１７０  第一タンパーエビデント装置
１７２  スリーブ
１７４  プルタブ
１７６  打抜き穴
１８０  第二タンパーエビデント装置
１８２  リング部
１８４  連結タブ
１８６  下方側壁
【図１】
2014511319.tif 000003
【図２】
2014511319.tif 000004
【図３】
2014511319.tif 000005
【図４】
2014511319.tif 000006
【図５】
2014511319.tif 000007
【図６】
2014511319.tif 000008
【図７】
2014511319.tif 000009
【図８】
2014511319.tif 000010
【国際調査報告】
2014511319.tif 000011
2014511319.tif 000012